(57)【特許請求の範囲】
【請求項１】
測定された複写体輝度に基づいて演算されたＥＶ値が所定値以下の場合にストロボを発光させ、予め定められた露出制御を行う通常撮影モードと、ストロボを常時発光させ絞りを最小絞りとした近接撮影モードとを有するカメラであって、
上記近接撮影モード設定時のストロボの撮影を許可する撮影許可充電電圧を通常撮影モード設定時のストロボの撮影許可充電電圧よりも高くし、
上記近接撮影モードが選択された場合、絞りが最小絞りとなる高速秒時制御とし、上記高速秒時制御を複数回繰り返すことを特徴とするカメラ。
【請求項２】
上記近接撮影モード時における上記ストロボの撮影許可充電電圧が上記ストロボの充電電圧のフル充電電圧であることを特徴とする請求項１に記載のカメラ。
【請求項３】
第１のレリーズオン状態で測光動作を行い、第２のレリーズオン状態で撮影動作を行うカメラにおいて、充電を行うタイミングが上記第１のレリーズオン状態であることを特徴とする請求項１に記載のカメラ。
【請求項４】
リモコン機能を有し、リモコン信号受信後、測光動作を行ってから撮影動作を行うカメラにおいて、充電を行うタイミングが、上記測光動作後であることを特徴とする請求項１に記載のカメラ。
【請求項５】
上記撮影許可充電電圧が、変更可能なことを特徴とする請求項１に記載のカメラ。
【請求項６】
上記近接撮影モードのストロボ使用時において、ストロボ発光タイミングは複数回の上記高速秒時制御のうちの初回の高速秒時制御時とすることを特徴とする請求項１に記載のカメラ。
【請求項７】
上記高速秒時制御の回数が変更可能であることを特徴とする請求項１に記載のカメラ。
【発明の詳細な説明】
【０００１】
【発明の属する技術分野】
本発明は近接撮影が可能なカメラの改良に関し、特に近接撮影モードにおける露出アンダー傾向を軽減したカメラに関する。
【０００２】
【従来の技術】
一般に、シャッターの絞り開口と露出時間とを調節して被写体の近接撮影を行うカメラが知られており、上記近接撮影の場合、レンズ位置を近距離状態にセット固定し、シャッタースピードを高速にして露出時間を小さくすると共にシャッターの開口を小絞りにし、被写界深度を深くして近接撮影を可能にしていた。
ここで、シャッターを小絞り設定にするため無理に高速シャッタースピードとした場合、露出アンダーとなってしまう可能性があった。そこで、この様な場合、ストロボを発光させて露出アンダーを軽減させる様にしていた。
また、上記ストロボの充電は撮影動作前に完了する様になっており、レリーズＳＷを押した時に未充電レベルの場合は撮影許可充電レベルに達するまで充電させ、撮影許可充電レベルに達した時点で撮影動作に入るようにしている。通常、このときの撮影許可充電レベルはストロボのフル充電レベルよりも低く設定されているが、これはレリーズを押してから撮影に入るまでのタイムラグを短縮するためである。従って、この場合、上記近接撮影におけるストロボ発光時の充電レベルはフル充電レベルよりも小さくなる場合があり、小さくなった場合はＧＮｏ（ガイドナンバー）が低くなり、結果としてストロボが届く距離が短くなり、被写体距離によっては、アンダー写真となるという問題があった。
そのため、ネガフィルムにおいては上記露出アンダーが補正可能なレベルに収まるように、レリーズ許可充電レベルを定めている。しかし、近接撮影モードにおいては、被写体輝度値に関わらずにシャッターによる露出は高速制御による小絞りとなっているため、被写体によっては通常撮影モードに比べて、遥かにアンダー傾向になり、さらに、ここでストロボの充電レベルが低いことによるＧＮｏの低下が発生するとアンダー傾向にさらに拍車がかかり、撮影画像が大変に暗くなるという問題があった。
【０００３】
【発明が解決しようとする課題】
本発明は、上述の如き従来の問題点を解決するためになされたもので、その目的は、上述した近接撮影モードにおけるアンダー傾向を軽減することができるカメラを提供することである。
【０００４】
【課題を解決するための手段】
上記目的を達成するために、請求項１に記載の発明は、測定された複写体輝度に基づいて演算されたＥＶ値が所定値以下の場合にストロボを発光させ、予め定められた露出制御を行う通常撮影モードと、ストロボを常時発光させ絞りを最小絞りとした近接撮影モードとを有するカメラであって、上記近接撮影モード設定時のストロボの撮影を許可する撮影許可充電電圧を通常撮影モード設定時のストロボの撮影許可充電電圧よりも高くし、上記近接撮影モードが選択された場合、絞りが最小絞りとなる高速秒時制御とし、上記高速秒時制御を複数回繰り返すことを特徴とする。
上記請求項１記載のカメラによれば、上記近接撮影モード設定時のストロボの撮影を許可する撮影許可充電電圧を通常撮影モード設定時のストロボの撮影許可充電電圧よりも高くすることで、ＧＮｏの低下を押え、アンダー傾向を軽減できる。更には、上記近接撮影モードが選択された場合、絞りが最小絞りとなる高速秒時制御とし、上記高速秒時制御を複数回繰り返すことにより、露光時間を増やすことでアンダー傾向を軽減できる。
請求項２に記載の発明は、上記近接撮影モード時における上記ストロボの撮影許可充電電圧が上記ストロボの充電電圧のフル充電電圧であることを特徴とする。
上記請求項２記載のカメラによれば、簡易的な制御で使用するストロボの最大ＧＮｏで撮影ができる。
請求項３に記載の発明は、第１のレリーズオン状態で測光動作を行い、第２のレリーズオン状態で撮影動作を行うカメラにおいて、充電を行うタイミングが上記第１のレリーズオン状態であることを特徴とする。
上記請求項３記載のカメラによれば、撮影前に充電することでアンダー傾向を軽減できる撮影が可能となる。
請求項４に記載の発明は、リモコン機能を有し、リモコン信号受信後、測光動作を行ってから撮影動作を行うカメラにおいて、充電を行うタイミングが、上記測光動作後であることを特徴とする。
上記請求項４記載のカメラによれば、リモコン撮影時においても、撮影前に充電することでアンダー傾向を軽減できる撮影が可能となる。
請求項５に記載の発明は、上記撮影許可充電電圧が、変更可能なことを特徴とする。
上記請求項５記載のカメラによれば、撮影許可充電電圧を変更可能とすることで、適正露光への調整が可能となる。
【０００５】
請求項６に記載の発明は、上記近接撮影モードのストロボ使用時において、ストロボ発光タイミングは複数回の上記高速秒時制御のうちの初回の高速秒時制御時とすることを特徴とする。
上記請求項６記載のカメラによれば、ストロボを使用し、かつ初回に発光することでアンダー傾向を軽減できる。
請求項７に記載の発明は、上記高速秒時制御の回数が変更可能であることを特徴とする。
上記請求項７記載のカメラによれば、高速秒時制御の回数を変更可能とすることで、適正露光への調整が可能となる。
【０００６】
【発明の実施の形態】
以下、本発明の一実施形態を図面に基づいて説明する。図１は、本発明を実施したカメラの内部制御構成ブロック図である。
図１に示す様に、このカメラは、中央処理装置としてのＣＰＵ１を有しており、このＣＰＵ１に、測光ＩＣ３、ＡＦＩＣ（マルチ測距ＩＣ）５、ストロボユニット７、ＬＣＤ９、ＥＥＰＲＯＭ１１、鏡胴ユニット１３、給送ユニット１５が接続され、同様に上記ＣＰＵ１に接続された複数のスイッチＳＷ１〜ＳＷ６より入力された指示信号に従って上記ＣＰＵ１により制御される様になっている。
また、上記ＣＰＵ１には、電源（バッテリー）１７およびクロック信号生成部１９が接続されている。
次に、図２〜図７のフローチャートを参照して上記図１に示したカメラの動作について説明する。
まず、図２および図３は、通常撮影モード時における撮影処理フローチャートである。
まず、上記ＣＰＵ１は各スイッチＳＷ１〜ＳＷ６の入力に応答して、各スイッチＳＷ１〜ＳＷ６に対応した動作制御を行う様になっている。上記スイッチＳＷ１は第１のレリーズスイッチであり、この第１のレリーズスイッチＳＷ１よりの指示信号が上記ＣＰＵ１に入力されると、上記ＣＰＵ１は図２に示す様な第１のレリーズオン処理に入る。
図２に示す様にこの第１のレリーズオン処理は、ステップ１０１において、バッテリー・チェック動作を行い、ここでバッテリー１７がＮＧの場合（バッテリー１７が所定値以下の場合：ステップ１０３でＮＯの場合）は、ここで処理を終了する。つまり、レリーズロックとなる。
【０００７】
次に、上記ステップ１０３においてバッテリーＯＫの場合は、測光ＩＣ３により測光動作を行い（ステップ１０５）、続いてＡＦ動作としてマルチ測距ＩＣ（ＡＦＩＣ）５によりマルチ測距動作に入る（ステップ１０７）。上記マルチ測距動作では、７ゾーンの測距を行い、一番近いゾーンを採用する。次に、ステップ１０９、１１１において上記測光結果と測距結果から、ＡＦ演算処理および、ＡＥ演算処理を行い、絞りとシャッター速度、シャッター開時間および、ストロボ発光時間、発光タイミングを決定する。
次に、ステップ１１３において、測定された複写体輝度に基づいて演算されたＥＶ値が所定値以下か否かによってストロボ使用モードか否かが判定され、ストロボ使用モードの場合は、ストロボユニット７の充電状態を確認し、充電レベルが低い場合は、撮影許可充電レベルまで充電動作に入る（ステップ１１５、１１７）。
次に、ステップ１１９において、上記ＡＦ演算処理から求まる距離データをフォーカス動作のための繰り出しステップ数に変換させるフォーカス演算処理を行い、次に、ステップ１２１において、フォーカス動作を行う。ここで、第１のレリーズオン処理は終了となり、第２のレリーズＳＷ２待ちか第１のレリーズＳＷ１のオフ待ちとなる。
第１のレリーズＳＷ１をオフした場合は、第１のレリーズオフ処理が実行される。この第１のレリーズオフ処理は、表示ＬＥＤの消灯と、レンズ（鏡胴）位置を待機位置に戻す動作とが行われる。
【０００８】
次に、図３は第２のレリーズオン処理のフローで、第１のレリーズオンの状態で、第２のレリーズＳＷ２の入力が検出されると、この第２のレリーズオン処理に入る。
この第２のレリーズオン処理では、ステップ１２３において、レリーズ禁止判定が行われ、レリーズ許可の場合、ステップ１２５において、ＡＥ演算処理から算出されたシャッター開時間を使用して、シャッター動作および、ストロボ使用時は、発光時間と発光タイミング時間とをもとにストロボ発光制御が行われる。その後、レンズ（鏡胴）を待機位置に戻し、フィルム給送動作が行われる（ステップ１２７、１２９）。
次に、上記スイッチＳＷ３は、撮影モードスイッチで、撮影者が撮影シーンによって、任意にモードの設定ができるようにしている。通常は、マルチＡＦの低輝度自動発光モード（通常モード）であるが、撮影モードスイッチＳＷ３を１回押す度に、シングルＡＦモード、遠景モード、近接モードと撮影モードが更新し、さらに、撮影モードスイッチＳＷ３を押すと、マルチＡＦの低輝度自動発光モード（通常モード）に戻る（図４参照）。
すなわち、図４に示す様に、上記モード選択処理は、上記撮影モードスイッチＳＷ３が押されると、ステップ１３１において、前回が通常モードか否かが判定され、前回通常モードの場合は、ステップ１３３において、シングルＡＦモード設定が行われ、上記ステップ１３１において前回通常モードでない場合、ステップ１３５において前回がシングルＡＦモードか否かが判定される。上記ステップ１３５において前回がシングルＡＦモードである場合、ステップ１３７において、遠景モード設定が行われ、上記ステップ１３５において前回がシングルＡＦモードでない場合、ステップ１３９において前回が遠景モードか否かが判定される。
上記ステップ１３９において前回が遠景モードである場合、ステップ１４１において、近接モード設定が行われ、ステップ１４３において、レンズの移動が行われる。また、上記ステップ１３９において前回が遠景モードでない場合、ステップ１４５において通常モード設定が行われ、ステップ１４７において、レンズが待機位置に戻される。
すなわち、上記ステップ１４１において近接モードが設定された場合は、上記ステップ１４３においてレンズ位置が近接撮影可能位置（３５ｃｍ繰り出し相当）に移動され、また、近接モード状態から撮影モードスイッチＳＷ３を押すことで通常モードに更新した場合は、上記ステップ１４７においてレンズ位置が待機位置に移動される。
図８の（ａ）〜（ｄ）は上記各モード時のＬＣＤ表示である。すなわち、図８（ａ）は上記通常モード時のＬＣＤ表示であり、図８（ｂ）は上記シングルＡＦモード時のＬＣＤ表示であり、図８（ｃ）は上記遠景モード時のＬＣＤ表示であり、図８（ｄ）は上記近接モード時のＬＣＤ表示である。なお、図８（ｅ）は全表示状態のＬＣＤ表示を示した図である。
【０００９】
次に、近接撮影モード時の動作について説明する。
図５、６は近接撮影モード状態での撮影処理フローである。
まず、第１のレリーズオン処理は、ステップ２０１において、バッテリー・チェック動作を行い、ここでバッテリー１７がＮＧの場合（ステップ２０３でＮＯ）は、ここで処理を終了する。つまり、レリーズロックとなる。次に、上記ステップ２０３においてバッテリーＯＫの場合は、測光ＩＣ３により、測光動作を行い（ステップ２０５）、続いてＡＦ動作としてマルチ測距ＩＣ５によりマルチ測距動作に入る（ステップ２０７）。このマルチ測距動作では、７ゾーンの測距を行い、一番近いゾーンを採用する。
次に、ステップ２０９、２１１において上記測光結果と測距結果から、ＡＦ演算処理およびＡＥ演算処理を行い、シャッター開時間および、ストロボ発光時間、発光タイミングを決定する。なお、上記ステップ２１１のＡＥ演算処理におけるシャッター開時間においては、測光値に関わらず絞りが最小となるように高速秒時データを設定する。またストロボ発光タイミングも被写体距離に関わらず設定可能な最小絞りとなるタイミングに設定する。
次に、ステップ２１３において、測距動作がＯＫか否かが判定され、測距動作がＯＫならば近接モードか否かの判定（ステップ２１５）に移り、測距動作がＯＫでない場合、ステップ２１７において、ＡＦＬＥＤ（警報灯）を８Ｈｚで点滅させる。次に、上記ステップ２１５において近接モードと判定された場合、ステップ２１９に移り、測距結果から距離データを算出し、被写界深度内判定を行う。上記ステップ２１９において被写界深度内の場合はＡＦＬＥＤを点灯させ（ステップ２２１）、被写界深度外の場合は、ＡＦＬＥＤを２Ｈｚ点滅させ（ステップ２２３）、レリーズ禁止ステータスに禁止情報がセットされ、ＲＬ禁止情報の設定が行われる（ステップ２２５）。
上記ステップ２１５において近接モードでない場合、ステップ２２７において、撮影範囲内か否かが判定され、撮影範囲内の場合、ＡＦＬＥＤが点灯され（ステップ２２９）、撮影範囲外の場合、ＡＦＬＥＤが２Ｈｚで点滅され、レリーズ禁止ステータスに禁止情報がセットされ、ＲＬ禁止情報が設定される（ステップ２３１、２３３）。
【００１０】
次に、ステップ２３５において、近接モードか否かが判定され、近接モードの場合、ステップ２３７において、充電レベル演算が行われるが、この近接撮影モード撮影許可充電レベルは近接撮影モード時以外の撮影許可充電レベルよりも高い値で、この実施形態の場合フル充電レベルに設定している。次に、ステップ２３９において、充電レベルが上記近接撮影モード撮影許可充電レベルに達しているか否かの判定が行われ、達していない場合は、ステップ２４１において、充電動作が行われ、続いて、フォーカス演算およびフォーカス動作が行われる（ステップ２４３、２４５）。
次に、上記ステップ２３５において近接モードではないと判定された場合、ステップ２４７において充電判定がなされるが、ここにおける撮影許可充電レベルは、上記近接撮影モード撮影許可充電レベル（フル充電レベル）より低い所定の充電レベルとなっている（具体的には、図２のステップ１１５における撮影許可充電レベルと同じレベルである）。なお、この近接撮影モード撮影許可充電レベルは可変とすることもできる。
そして、上記ステップ２４７において充電が必要と判定された場合、ステップ２４９において、充電動作が行われる。
次に、図６に示す様に、第２のレリーズオン処理では、第２のレリーズスイッチＳＷ２を押すと、ステップ２５１において、レリーズ禁止判定が行われ、レリーズ禁止ステータスに禁止情報がセットされている場合（上記ステップ２５１において禁止）には、レリーズ２処理（撮影動作）を禁止し、禁止情報がセットされていない場合（上記ステップ２５１において許可）は、ステップ２５３において、シャッター動作を行うわけであるが、ここで近接モードか否かが判定され（ステップ２５５）、近接モードの場合、最小絞りとなるようにシャッター開閉動作を高速秒時で行い、シャッター動作が１／３０秒以内に収まる中で複数回（６回）シャッター動作を行う（ステップ２５７、２５９、２６１、２６３）。また、最初のシャッター動作時にストロボ発光を行う。この時のストロボ発光タイミングも最小絞りとなるタイミングでシンクロ信号を出力させる。なお、上記高速秒時制御の回数は可変とすることもできる。
【００１１】
次に、ステップ２６５において、近接モードか否かが判定され、近接モード時はレンズ位置が固定のため、鏡胴の待機位置移動動作は行わずにそのまま、フィルム給送動作を行う（ステップ２６９）。また、上記ステップ２６５において近接モードではないと判定された場合、ステップ２６７において、鏡胴の待機位置移動動作が行われる。
また、上記第４〜第６のＳＷ４〜ＳＷ６により、ＬＣＤ９の時計（カレンダー）表示の設定を変更することができる。第４のＳＷ４は表示モードの変更で、入力毎に年月日→月日年→日月年→日時分→年月日表示の切り替えができる。
すなわち、図７に示す様に、時計モードスイッチＳＷ４（第４のスイッチ）がオンされると、ステツプ２７１において、前回年月日モードか否かが判定され、前回年月日モードの場合、ステップ２７３において、年月日モード表示がなされ、上記ステップ２７１において前回年月日モードでない場合、ステップ２７５において、前回月日年モードか否かが判定される。
上記ステップ２７５において前回月日年モードの場合、ステップ２７７において、月日年モード表示がなされ、上記ステップ２７５において前回月日年モードでない場合、ステップ２７９において、前回日月年モードか否かが判定される。上記ステップ２７９において前回日月年モードの場合、ステップ２８１において、日月年モード表示がなされ、上記ステップ２７９において前回日月年モードでない場合、ステップ２８３において、日時分モード表示がなされる。
上記第５および第６のスイッチＳＷ５、ＳＷ６は、時計（カレンダー）表示の修正用ＳＷで修正したい項目（年ｏｒ月ｏｒ日ｏｒ時ｏｒ分）を選択するためのもので選択されると選択された表示が点滅する。また、第６のスイッチＳＷ６はこの点滅状態で有効で、入力毎に点滅表示の値は＋１される。また、ＬＣＤ９は時計表示と、フィルムカウンタ表示、撮影モードマーク、バッテリーマーク等の表示が可能となっている（図８（ｅ）参照）。
また、ＥＥＰＲＯＭ１１は不揮発性記憶素子でカメラ出荷前の調整値等が格納されると共に、近接撮影モード時における第１および第２のレリーズスイッチＳＷ１、ＳＷ２を押した時の充電判定値や、シャッターの高速秒時の制御回数等も格納されている。また、鏡胴ユニット１３には鏡胴（レンズ）を動作するためのモータ、現在位置を検出するための位置検出ＳＷ、移動量を検出するための移動量検出ＳＷまた、シャッターを動作するためのモータ、シャッターのトリガー検出用のトリガーＳＷが内蔵されている。また、給送ユニット１５にはフィルムを送るためのモータ、フィルムの移動量を検出するための検出ＳＷが内蔵されている。
また、本発明を、外部からのリモコン信号を受信する受信部と、受信したリモコン信号をデコードするデコード手段とデコードした結果が正しいリモコン信号かを判定する判定手段を具備し、判定手段により受信したリモコン信号が正しい場合は測光動作を行ってから撮影動作を行うカメラに適用することもでき、この場合、上記充電制御を行うタイミングは、上記測光動作の後となる。
【００１２】
【発明の効果】
本発明によれば、近接撮影モード設定時のストロボの撮影を許可する撮影許可充電電圧を通常撮影モード設定時のストロボの撮影許可充電電圧よりも高くし、近接撮影モードが選択された場合、絞りが最小絞りとなる高速秒時制御とし、高速秒時制御を複数回繰り返して露光時間を増やすことでアンダー傾向を軽減することができる。
【図面の簡単な説明】
【図１】本発明を実施したカメラの内部制御構成ブロック図である。
【図２】通常撮影モード時における撮影処理フローチャートである。
【図３】通常撮影モード時における撮影処理フローチャートである。
【図４】本発明の実施形態に係る動作を示すフローチャートである。
【図５】近接撮影モード状態での撮影処理フローチャートである。
【図６】近接撮影モード状態での撮影処理フローチャートである。
【図７】本発明の実施形態に係る動作を示すフローチャートである。
【図８】本発明の各モードにおけるＬＣＤ表示を示す図である。
【符号の説明】
１…ＣＰＵ、                            ３…測光ＩＣ、
５…ＡＦＩＣ（マルチ測距ＩＣ）、        ７…ストロボユニット、
９…ＬＣＤ、                            １１…ＥＥＰＲＯＭ、
１３…鏡胴ユニット、                    １５…給送ユニット、
１７…バッテリー、                      １９…クロック信号生成部、
ＳＷ１〜ＳＷ６…第１〜第６のスイッチ
【図１】
0004061002.tif 000002
【図２】
0004061002.tif 000003
【図３】
0004061002.tif 000004
【図４】
0004061002.tif 000005
【図５】
0004061002.tif 000006
【図６】
0004061002.tif 000007
【図７】
0004061002.tif 000008
【図８】
0004061002.tif 000009